(57)【要約】  本発明は、アクチュエータ（Ａ１、Ａ２、Ａ３）といった双方向要素と、少なくとも一方向性の制御機構を伴う要素（Ｃ１、Ｃ２、Ｃ３、Ｓ１）と、双方向制御要素（Ｃ６０、Ｃ７０、Ｃ８００）と、を含むホームオートメーションネットワークを構成するための方法に関する。前記方法は、少なくとも２つの要素間に永続的かつ機能的な関係を確立することからなる。本発明は、永続的かつ機能的な関係の確立には、少なくとも前記２つの要素間の階層的関係を生成する情報を、１つの双方向要素からもう１つの双方向要素まで転送することが少なくとも関与することを特徴とする。
2005512402.tif 000002
【特許請求の範囲】
【請求項１】
アクチュエータ（Ａ１、Ａ２、Ａ３）といった双方向要素と、少なくとも一方向性である制御要素（Ｃ１、Ｃ２、Ｃ３、Ｓ１）と、双方向制御要素（Ｃ６０、Ｃ７０、Ｃ８００）と、を含み、少なくとも２つの要素を永続的かつ機能的に連結するホームオートメーションネットワーク構築方法において、永続的かつ機能的連結によって、少なくとも１つの情報を、一方の双方向要素からもう一方の双方向要素まで、転送して、これら２つの要素間に階層的関係を作り上げることを特徴とする方法。
【請求項２】
これら２つの要素間の階層関係を作り出す情報には、グループ名（ＮＧ１、ＮＧ２）が含まれることを特徴とする請求項１に記載のホームオートメーションネットワーク構築方法。
【請求項３】
グループ名（ＮＧ１、ＮＧ２）の伝送が、暗号化アルゴリズムに従って符号化されることを特徴とする請求項２に記載のホームオートメーションネットワーク構築方法。
【請求項４】
これら２つの要素間の階層的関係を作り出す情報には、該情報を送信する要素との間ですでに確立されたリンクのアイデンティティが含まれることを特徴とする請求項１に記載のホームオートメーションネットワーク構築方法。
【請求項５】
２つの双方向要素間の永続的かつ機能的連結が、それ自体学習オペレーション中に前記要素のうちの１つにて予め認証された第３の要素の監視下で達成されることを特徴とする請求項１〜４のいずれか一項に記載のホームオートメーションネットワーク構築方法。
【請求項６】
双方向要素（Ａ１、Ａ２、Ａ３）と双方向制御要素（Ｃ６０）との機能的連結が、少なくとも一方向の制御要素（Ｃ１、Ｃ２、Ｃ３）の監視下で実施されることを特徴とする請求項１〜５のいずれか一項に記載のホームオートメーションネットワーク構築方法。
【請求項７】
双方向要素（Ａ１、Ａ２、Ａ３）と少なくとも一方向性の制御要素（Ｃ１、Ｃ２、Ｃ３、Ｓ１）との機能的連結が、双方向制御要素（Ｃ６０）の監視下で実施されることを特徴とする請求項１〜６のいずれか一項に記載のホームオートメーションネットワーク構築方法。
【請求項８】
同じ階層レベルの２つの双方向制御要素（Ｃ６０、Ｃ７０）の機能的連結が、より高い階層レベルの制御要素（Ｃ８００）と各前記双方向制御要素との連結によって確保されることを特徴とする請求項１〜７のいずれか一項に記載のホームオートメーションネットワーク構築方法。
【請求項９】
２つの双方向要素（Ａ１、Ａ２、Ａ３）の機能的連結が、これらの各々と、同じ１つの双方向制御要素（Ｃ６０）との永続的かつ機能的連結によって確保されることを特徴とする請求項１〜８のいずれか一項に記載のホームオートメーションネットワーク構築方法。
【請求項１０】
１つの双方向制御要素（Ｃ６０、Ｃ７０またはＣ８００）と、もう１つの要素との間の機能的連結中、後者の要素は前記双方向制御要素に対し、それとすでに連結されている要素に関する一組のアイデンティティを伝送することを特徴とする請求項１〜９のいずれか一項に記載のホームオートメーションネットワーク構築方法。
【請求項１１】
異なる階層レベルの２つの制御要素間の機能的連結中、予め確立された関係に関する情報の伝送を、より低いレベルの前記要素からより高いレベルの前記要素へと行うことを特徴とする請求項１〜１０のいずれか一項に記載のホームオートメーションネットワーク構築方法。
【請求項１２】
１つの双方向制御要素（Ｃ６０、Ｃ７０またはＣ８００）ともう１つの要素との間の機能的連結中、前記双方向制御要素と連結された全てのより低いレベルの前記要素に共通となるグループ名ＮＧが交換されることを特徴とする請求項１〜１１のいずれか一項に記載のホームオートメーションネットワーク構成方法。
【請求項１３】
前記グループ名（ＮＧ１、ＮＧ２）の伝送は、暗号化アルゴリズムに従った符号化により行われることを特徴とする請求項１２に記載のホームオートメーションネットワーク構成方法。
【発明の詳細な説明】
【技術分野】
【０００１】
本発明は、ホームオートメーションネットワークの分野、より特定的には、建物内部、特に家庭内の安全性または快適性の管理を目的とした製品が、無線リンクを介して、特に電波により通信する場合に、これらの製品間の通信を可能にする個別のネットワークまたは複数の個別のネットワークの結合からなるネットワークを構成する方法に関する。
【背景技術】
【０００２】
ホームオートメーションまたは建物の技術的管理の分野では、ブラインド、ロールシャッタ、門扉および、エアコンあるいは暖房または照明手段などのその他の全ての装置といった異なるコンポーネントを結びつける設備がすでに知られている。ユーザの要求が益々高くなっていくことによって、異なるコンポーネントを管理する技術は進歩し、メーカーは顧客を満足させるために、管理手段を含んだホームオートメーションネットワークの形で設備を設置してきた。
【０００３】
なおも解決すべき問題としては、送信機、センサまたはその他のあらゆる制御装置によって制御されるアクチュエータが起動するさまざまなコンポーネントの設置に起因するものがある。実際、設置者は特定の知識なしにネットワークを構成しなければならないことがきわめて多く、また、新しい機器要素が確実に認識されるようにしなければならず、既存の設備の中で新しい製品グループを構成しなければならず、しかもこれら全てのことを、それら全てについて高度な実施技術を知らずに最も単純な方法で行わなければならない。
【０００４】
すでに既知なのは、機能的連結（functional linkup）によって、ネットワークの２つの特定的要素が、一時的にかまたは永久的に、通信リンクを共用できるようになっている設備である。このリンクは例えば、第１の要素が、第２の要素により送信された命令に従うことを可能にする。ここではリンクは、当業者または経験豊かなユーザによる介入を必要とする意図的なネットワークの環境再設定の間にリンクが再検査できる場合、「一時的」と呼ばれる。
【０００５】
かかるリンクを共用する方法としては、当業者にとって既知のものがいくつか存在する。
【０００６】
専用ネットワークを通して開発されその後共用された配線（wired）バージョンについては、環境設定段階によって設置者は、所望の対形成（pairing）、および上記全てのグループ化を行うことができる。米国特許第５，５４４，０３７号は、照明の分野におけるこのようなグループアドレスの定義づけ様式を記述している。Echelon（登録商標）タイプの共用ネットワークの場合、より直視的な連結方法が提案されている。かかる方法は、特に米国特許第４，９１８，６９０号、欧州特許第０８３８７４０号および欧州特許第０５７４６３６号によって開示されてきた。
【０００７】
米国特許第４，６８９，７８６号、米国特許第４，８４７，８３４号および欧州特許第０６２９９３４号を通して、連結（linkup）を簡略化するために、各ネットワークコンポーネントの物理的アイデンティティを、例えばコンポーネントがローカルエリアネットワーク（ＬＡＮ）内に挿入される毎に増分される通し番号である論理的アイデンティティへと移行させる方法が既知である。
【０００８】
無線による通信システムの連結に関しては、そのネットワークに帰属するものと外部に帰属するものとの間を明確に区別することのできる配線リンクが全く存在せず、これには安全性レベルの強化が必要となることから、付加的な問題が生じる。
【０００９】
米国特許第４，３８５，２９６号および米国特許第４，７５０，１１８号によって開示されているような最も単純なケースでは、学習手順により、ある要素の受信機は、メモリ内に他の要素の送信機内に含まれている識別コードを入れることができ、またその逆も可能である。
【００１０】
同じく先行技術に記述されているのは、１またはそれ以上の受信機にとって既知である単一のコードまたは複数の識別コードを、一方の送信機から他方の送信機へとコピー（reproduction）するために使用されるクローン化方法である。このコピーは、欧州特許第０５３３６２３号と米国特許第６，０２０，８２９号中にあるように、一時的配線リンクを用いて前記送信機間で直接か、あるいは、前記送信機間で無線により同じく直接的に行われている可能性があり、後者の送信機の一方は実際、米国特許第４，９８８，９９２号中で開示されているように双方向性である。
【００１１】
識別コードは、物理アドレスまたは論理アドレスで構成されてよく、学習伝送間に暗号化され得る。「ローリングコード」または「コードホッピング」といった既知の方法を用いて、識別コードの画像を直接伝送することを回避することができる。最も高度に保護されたリンクにおいては、識別コードはそれ自体完全に可変であり、受信機が識別コードの次の単数または複数の値を予測できるようにする受信機のアルゴリズムによって用いられる「シード」（seed）にすぎない。このとき米国特許第６，１９１，７０１号に記述されているように、シードのみが学習手順の間に伝送される。
【００１２】
Bluetooth（登録商標）タイプのネットワークの仕様においては、リンクの確立は、２つの要素間での対形成手順中に作成され交換される共通キーを記憶することによって、達成される。Echelon（登録商標）タイプの配線ネットワークの連結の場合がそうであるように、設置者は、特定のボタンを押して、タイアップすることが意図された各要素を指定する。
【００１３】
さらにネットワークから除去されるものの認証の問題を共有する、電子ロックの分野は、アクチュエータ要素（ロック）による新しい制御要素（ユーザキー）の学習が、第３の要素（マスターキー）の監視下で行われるという実施形態を、生み出した。この第３の要素はそれ自体学習手順中に認証されないが、国際公開番号Ｗ０８０／０２７１１で公開された国際特許出願によって記述されているように、その製造中にアクチュエータ要素内に予め登録されたコードによって認証される。
【００１４】
また、特に仏国特許第２，７６１，１８３号の中で、遠隔扉制御の分野において、それ自体学習手順中に予め登録された送信機により、機能的連結中に、実施される認証形態が見られる。ただし、本出願人が提出したこの特許は、ネットワークの漸進的実現に必要な情報を双方向で通信するためにこのステップを使用できるようにはしていない。
【００１５】
同じく米国特許第５，８４４，８８８号から知られているのは、双方向で互いに通信する同一の個々のセルからなるネットワークを実現する方法である。各セルは、その製造中に識別子を受け取る。セルグループ化デバイスを用いて、各セルに特定的な識別子にアクセスし、それらにグループ識別子を割当てることによってセルをグループ化する。ネットワークが設置されたときに、セルは自らグループとしてまとまることができる。このグループ化は、グループ識別子の、セル間での共用に基づいている。識別子の送信は、どのセルが送信機で、どのセルが受信機であるかそしてどのセルが伝送リレーであるかを決定するのに用いられる。
【００１６】
米国特許第５，４２０，５７２号から、通信ネットワークの環境設定を行うためのデバイスが知られている。このデバイスは、通信ネットワークを構成する上で使用する情報を転送するために通信ネットワークを構成する要素に一時的にデバイスを接続できるようにする手段を備える。
【００１７】
従って、全ての先行技術は、次のいずれかに専用のデバイスである。すなわち、
（このとき受信機による送信機に対する肯定応答伝送のために意図されているにすぎない）双方向リンクが可能である場合でさえ、一義的（univocal）に（複数の送信機、１つの受信機）機能するように意図されているデバイスか、
ネットワーク内で通信し、このネットワークの階層的構造化なしに同等のレベルに置かれたデバイスか、
設置者（または有能なユーザ）が全てのリンクおよびグループを指定した少なくとも１つの環境設定段階の後、構造化された形でネットワーク内で通信するデバイスか、である。
【００１８】
従って、先行技術は、一方向および双方向の両方のデバイスのホームオートメーションネットワーク内での共存の問題を解決するものではない。
【００１９】
先行技術は、慣れ親しんだ一義的（univocal）デバイスの場合に使用されるものと（設置者にとって）全く同一の方法によるネットワーク設備のセットアップを可能にはしない。
【００２０】
先行技術は、仏国特許第２，７６１，１８３号という番号で公示された本出願人の特許の中で、複数の要素が双方向であることなしに、さらにはその連結が、第１の双方向要素による第２の双方向要素までの、ネットワークを構造化する少なくとも１つの情報の転送を、ひき起こすことなしに、学習オペレーション中に要素の１つを用いてそれ自体予め認証された第３の要素の監視下で実施される、２つの要素の機能的連結のタイプを記述している。
【００２１】
該先行技術は、次のことを提供していない。すなわち
ネットワークを階層的に構造化する情報がグループ名であること、および
ネットワークを階層的に構造化する情報が、第１の双方向要素によってすでに確立されたリンクのアイデンティティであること、である。
【特許文献１】米国特許第５，５４４，０３７号明細書
【特許文献２】米国特許第４，９１８，６９０号明細書
【特許文献３】欧州特許第０８３８７４０号明細書
【特許文献４】欧州特許第０５７４６３６号明細書
【特許文献５】米国特許第４，６８９，７８６号明細書
【特許文献６】米国特許第４，８４７，８３４号明細書
【特許文献７】欧州特許第０６２９９３４号明細書
【特許文献８】米国特許第４，３８５，２９６号明細書
【特許文献９】米国特許第４，７５０，１１８号明細書
【特許文献１０】欧州特許第０５３３６２３号明細書
【特許文献１１】米国特許第６，０２０，８２９号明細書
【特許文献１２】米国特許第４，９８８，９９２号明細書
【特許文献１３】米国特許第６，１９１，７０１号明細書
【特許文献１４】国際公開番号Ｗ０８０／０２７１１明細書
【特許文献１５】仏国特許第２，７６１，１８３号明細書
【特許文献１６】米国特許第５，８４４，８８８号明細書
【特許文献１７】米国特許第５，４２０，５７２号明細書
【発明の開示】
【課題を解決するための手段】
【００２２】
かくして、本発明によると、アクチュエータといったような双方向要素と、少なくとも一方向性である制御要素（送信機、センサ）と、双方向制御要素と、からなるホームオートメーションネットワークを構成する方法は、少なくとも２つの要素を永続的かつ機能的に連結するタイプのものであり、ここに特徴は、永続的かつ機能的な連結が、少なくとも１つの情報を、一方の双方向要素から他方の双方向要素まで、転送させて、これら２つの要素間に階層的関係を作り上げることにある。
【００２３】
付加的な特徴によると、これら２つの要素間の階層関係を作り出す情報には、グループ名が含まれている。
【００２４】
もう１つの付加的な特徴によると、これら２つの要素間の階層的関係を作り出す情報には、該情報を送信する要素との間ですでに確立されたリンクのアイデンティティが含まれる。
【００２５】
さらに、本発明よる方法は、２つの双方向要素間の永続的かつ機能的な連結が、それ自体学習オペレーション中に要素のうちの１つにて予め認証された第３の要素による監視のもとで達成されるようなものである。このことは、特に、双方向要素の１つがアクセスしにくい場合に有益である。
【００２６】
一実施形態によると、双方向要素と双方向制御要素の機能的連結は、少なくとも一方向の制御要素の監視下で実施される。
【００２７】
その他の実施形態によると、
双方向要素と、少なくとも一方向制御要素との機能的連結は、双方向制御要素の監視下で実施され、
同じ階層レベルの２つの双方向制御要素の機能的連結は、より高い階層レベルの制御要素と各該双方向制御要素との連結によって確保され、
２つの双方向要素の機能的連結は、これらの各々と、同じ１つの双方向制御要素との永続的かつ機能的連結によって確保され、
１つの双方向制御要素ともう１つの要素との機能的連結中、後者の要素は前記双方向制御要素に対し、それとすでに連結されている要素に関する一組のアイデンティティを伝送し、
異なる階層レベルの２つの制御要素間の機能的連結中、予め確立された関係を提供する情報の伝送は、より低いレベルの要素からより高いレベルの要素へと行われ、
１つの双方向制御要素ともう１つの要素との間の機能的連結中、前記双方向制御要素と連結された全てのより低いレベルの要素に共通となるグループ名が転送され、
そのグループ名の伝送は、暗号化アルゴリズムに従って符号化することができ、例えば、グループ名は、そのまま直接伝送されず、同じ１つの暗号解読多項式を含む各要素によって、該グループ名が再構築され得るようにする「シード」（seed）の形で伝送することができる。
【発明の効果】
【００２８】
本発明は、制御要素または他の一方向要素が、双方向要素と同じ１つのホームオートメーションネットワーク内で共存することを可能にする。
【００２９】
なかでも、本発明は、特に外部要素の注入に対しおよび／またはネットワークに属さない要素の不本意のアドレス指定に対し、当該構成を保護しながら、空間的にかつ時間的に、ネットワークを漸進的に構築することを可能にする。
【００３０】
特に、本発明は、１つまたは複数の一般制御点をアクチュエータと結びつける作業を始める前に、設置者がまず最初に、制御すべき各該アクチュエータと各単純制御点とを個々に結びつけたときに、該設置者のやり方に対しいかなる変更も加えられないようにすることを可能にし、該設置者が監視セットを有する場合に、より直接的な対形成方法を可能にする。
【００３１】
本発明の重要な利点はまた、連結されるべき１つまたは複数の製品を明示的に指定するために、設置者が物理的作用を直接加えることのできないいくつかの要素を含むネットワークの構成を可能にする、という点にある。
【発明を実施するための最良の形態】
【００３２】
本発明は、ネットワークを漸進的かつ暗黙のうちに構成することを可能にする好ましい実施形態の記述を通してさらに容易に理解されることであろう。
【００３３】
本発明のその他の特徴および利点は、添付図面に関する以下の記述から明らかになるであろう。
【００３４】
本発明が適用され図１に例として示されている通信ネットワークは、アクチュエータおよび／またはセンサに結びつけられた双方向要素と、センサに結びつけられた単一方向要素と、遠隔制御に結びつけられた単一方向要素と、第１の階層レベルが割当てられる遠隔制御と結びつけられた双方向要素と、最後にさらに高い階層レベルと結びつけられた遠隔制御および監視機能と結びつけられた双方向要素との部分的または全体的組合せからなる。双方向要素の階層レベルは、好ましくはメーカーによって定義され、通信フレーム中で言及される。
【００３５】
ネットワークの要素間の物理的通信は、好ましくはマルチマスター／マルチスレーブモードに従って機能する。
【００３６】
図１は、同じ１つの建物内に設けられた、１組のアクチュエータ（Ａ１、Ａ２、Ａ３）と、制御装置（Ｃ１、Ｃ３）と、センサ（Ｓ１）とを含むネットワークの例を示す。アクチュエータ（Ａ１、Ａ２、Ａ３）は無線制御されている。これらはそれ自体、例えば位置、圧力または障害物センサといった特定のセンサを内蔵していてよい。しかしながら、単純化のために、これらは単一の用語「アクチュエータ」と称する。アクチュエータは、それが駆動する製品の内部に設けられて、ボタンによる以外の形では直接アクセスできないか、または単純にアクセスが困難である。
【００３７】
図１中の製品の設置（installation）は、例えば複数の段階で既に完成されている。
【００３８】
第１の設置段階では、第１の双方向アクチュエータ（Ａ１）を内蔵したテラスブラインド（Ｂ１）が所定の位置に配置され、ここにユーザが直接制御することもできるアクチュエータ（Ａ１）を、第１の一方向無線制御装置（Ｃ１）を用いて自動駆動するための第１の一方向・風−太陽天候センサ（Ｓ１）を有している。
【００３９】
設置者は、まず最初に、先行技術で記述したように、例えば制御装置上に配置されたいわゆるプログラミング用ボタンと、対形成指令（pairing command）を受入れるための、まだ対形成されていない（ブランク）アクチュエータの特性（property）とを用いることによって、従来の要領で第１のアクチュエータ（Ａ１）と第１の無線制御装置（Ｃ１）とを対形成させなくてはならなくなる。この第１の対形成は、矢印（Ｆ１）によって図１に表わす。
【００４０】
その後、第１のアクチュエータ（Ａ１）は、それが既知の制御装置から来たのでないかぎり、新たな対形成指令を全く受入れない。例えば、第１のアクチュエータ（Ａ１）とのセンサ（Ｓ１）の対形成は、第１の制御装置（Ｃ１）の監視下で設置者によって実施されることになる。第１の制御装置（Ｃ１）のプログラミングボタンを押すことによって、設置者はこの第１の制御装置（Ｃ１）を用いて学習要求を第１のアクチュエータ（Ａ１）に伝送し、かくして、伝送された次のコードの前記第１のアクチュエータ（Ａ１）による獲得を、有効にする。設置者は次に、第１のセンサ（Ｓ１）のプログラミング制御を押す。第１のセンサ（Ｓ１）の識別は次に、第１のアクチュエータ（Ａ１）によって登録される。この方法は、同じ１つのアクチュエータ内で、さまざまな制御装置のいくつかの識別子を登録するために用いられる。この第２の対形成は図１において、矢印（Ｆ２）により表わす。
【００４１】
この段階で、第１のアクチュエータ（Ａ１）の双方向の特性がまだ使用されていないということがわかるだろう。
【００４２】
同じ例を追求していくと、その後該建物では、各々１つのアクチュエータ（Ａ２、Ａ３）を内蔵する、すなわち第１のロールシャッタ（Ｂ２）のための第１の一方向制御装置（Ｃ２）によって制御される第２の双方向アクチュエータ（Ａ２）と第２のロールシャッタ（Ｂ３）のための第３の一方向制御装置（Ｃ３）によって制御される第３の双方向アクチュエータ（Ａ３）とを内蔵する２つのロールシャッタ（Ｂ２、Ｂ３）の設置を伴う第２の設置段階が行われる。第２のアクチュエータ（Ａ２）と第２の制御装置（Ｃ２）との対形成、および第３のアクチュエータ（Ａ３）と第３の制御装置（Ｃ３）との対形成は、前述の通りに、矢印（Ｆ３）および（Ｆ４）によって図１で表わされている連続的なオペレーションによって実行される。
【００４３】
この段階では、第２および第３のアクチュエータ（Ａ２、Ａ３）の双方向の特性はまだ使用されていない。
【００４４】
しかしながら、まだ対形成されていない製品（ブランク）間での（矢印（Ｆ５）により表わされている）以前の通信方法を用いる上記２つのアクチュエータ（Ａ２、Ａ３）について、別の対形成手順が可能である。
【００４５】
この以前の通信モードは、新たに接続されたブランク製品が、設置者からの指令に対して全て同時には反応しないようにするような命令関係を、独立した形で確立するようになし、これにより製品の個々の対形成を容易にする。かかる方法は、ここでも同様にうまく、第２および第３の制御装置（Ｃ２、Ｃ３）の対形成に先立って、使用され得たはずである。このときに確立された双方矢印（Ｆ５）によって表わされた暫定的な双方向通信は、ブランク製品のみに関するものであり、要素間の永続的なリンクを確立することを目的とするここで記述されるネットワーク構築になぞらえることのできるものではなかった。
【００４６】
この設置段階で、例えば、便宜上の理由から、第２の制御装置（Ｃ２）が通常は第３のアクチュエータ（Ａ３）によって駆動される第２のロールシャッタをも制御できるということが決定される。従って、設置者は、この第３のアクチュエータ（Ａ３）が第２の制御装置（Ｃ２）の命令を認識することを学習するように、配慮しなければならない。矢印（Ｆ６）によって表わされるこのオペレーションは、まさに第１のアクチュエータ（Ａ１）が第１の制御装置（Ｃ１）の監視下で第１のセンサ（Ｓ１）の命令を認識することを学習したように、第３の制御装置（Ｃ３）の監視下で実施される。
【００４７】
その後、本発明のネットワークを構成するために、第１の一般双方向制御装置（Ｃ６０）を設備に付加することが決定される。
【００４８】
設置者は必然的に、先行技術の製品の場合に行うのと全く同様に、異なるアクチュエータがこの新しい制御装置を学習するように、配慮しなければならなくなる。これは、図１中に矢印（Ｆ１０、Ｆ１１、Ｆ１２）で表わされる３つの連続的な対形成オペレーションの形をとる。これらのオペレーションは、第１の制御装置（Ｃ１）、第２の制御装置（Ｃ２）そして次に第３の制御装置（Ｃ３）の監視下でそれぞれ実施される。
【００４９】
本発明によると、この対形成段階は、以下の情報のうちの少なくとも１つを伝送するために、使用される。
アクチュエータ（Ａ１、Ａ２、Ａ３）にとって既知の要素、すなわち制御装置（Ｃ１、Ｃ２、Ｃ３）およびセンサ（Ｓ１）のリストと、
この双方向制御装置と対形成された全ての要素に共通なグループ名と、である。
【００５０】
有利には、このグループ名は、例えば、双方向制御装置の識別番号に由来し、この場合、そのグループ名は常に、その後その制御装置が対形成される要素に対しその制御装置から伝送されることになる。それでも、一部のケースでは、反対にグループ名がこの双方向制御装置と対形成した第１のアクチュエータ（または要素）に由来することが好ましい。この場合、該グループ名はまず第１に、第１の対形成中に双方向制御装置に伝送されることになり、次にこのグループ名を、後続する対形成中に他の要素へと伝達する。
【００５１】
このことは、図１の設備に基づいて以下で例示される。第１の制御装置（Ｃ１）の援護を受けて、第１のアクチュエータ（Ａ１）と第１の一般制御装置（Ｃ６０）との間の連結（Ｆ１０）中に、第１のアクチュエータ（Ａ１）は前記第１の一般制御装置（Ｃ６０）に対し、アクチュエータが認識している識別子、すなわち第１の制御装置（Ｃ１）およびセンサ（Ｓ１）を伝送する。同様にして、第２の制御装置（Ｃ２）の援護を受けて、第２のアクチュエータ（Ａ２）と前記第１の一般制御装置（Ｃ６０）との間の連結（Ｆ１１）中に、第２のアクチュエータ（Ａ２）は第１の一般制御装置（Ｃ６０）に対して、それが認識している識別子、すなわち第２の制御装置（Ｃ２）を伝送し、最後に、第３の制御装置（Ｃ３）の援護を受けて、第３のアクチュエータ（Ａ３）と第１の一般制御装置（Ｃ６０）との間の連結（Ｆ１２）中に、第３のアクチュエータ（Ａ３）は、第１の一般的制御装置（Ｃ６０）に対し第２および第３の制御装置（Ｃ２、Ｃ３）の識別子を伝送する。
【００５２】
明らかに、これらのオペレーションは、任意の順序で実施される。
【００５３】
これらの連続する連結によって今暗黙のうちに構成されたネットワークに対してグループ名として役立つ共通の識別子を同時にかつ自動的に転送するために、上記第１の連結を利用することが提案されている。グループ名（ＮＧ１）は、有利には、第１の一般制御装置（Ｃ６０）の識別子に基づいて構成される。全てのアクチュエータ、すなわち第１、第２および第３のアクチュエータ（Ａ１、Ａ２、Ａ３）はこのとき、それらが同じグループ（ＮＧ１）の一員であることを認識する。
【００５４】
このことのもつ効果は、以下の通りである。
該当する場合に、そのメッセージの意図された受信者でないアクチュエータの１つによって検知されかつそれについて意図された受信者が肯定応答を送っていないことをそれが立証しているあらゆるメッセージの、ネットワークＮＧの任意の双方向アクチュエータ（Ａ１、Ａ２、Ａ３）による中継（反復、ルーティング）を可能にする。このプロセスは他の箇所でも知られていて、ネットワークに著しい「ロバストネス」（roubustness）を与えるもので、以下のことを可能にする。
全てのアクチュエータの低活性／低消費モードでのオペレーションであって、ネットワーク識別子で開始され場合にのみ、後者が各フレーム検知を続行するようなオペレーションと、
ネットワークのメンバーのみに関わる集合的ポーリングモードに対する反応と、である。
【００５５】
かくして、以上で提案されてきたものとは異なる手順で本発明を使用することが全面的に可能である。従って、最初の連結（Ｆ１０、Ｆ１１、Ｆ１２）の各々の間に、グループ名ＮＧ１のみが伝送される。その後、各アクチュエータ（Ａ１、Ａ、２、Ａ３）にとって既知の識別子が、この制御装置（Ｃ６０）に伝送されることになるのは、ひと続きの後続する個々のポールの間、またさらに良いのは第１の一般制御装置（Ｃ６０）により行われる集合的ポールの間のみである。
【００５６】
従って、このオペレーションの後、第１の一般制御装置（Ｃ６０）は、以下のようなグループ（ＮＧ１）のトポロジーを与えるテーブル、好ましくは構造化されたテーブルを有する。
【００５７】
【数１】
2005512402.tif 000003
【００５８】
各アクチュエータ（またはより一般的に各双方向要素）にとって既知の識別子が確実に一般制御装置（Ｃ６０）まで自動的にアップロードされるようにすることの価値は、一例から容易に理解できる。すなわち、ロールシャッタは照明管理または太陽による室内の過熱に対する保護にきわめて効果的に寄与できることは既知である。従って、当初単一の第１のアクチュエータ（Ａ１）に機能的に取付けられたセンサ（Ｓ１）により与える情報は、一般制御装置（Ｃ６０）にも利用できるものとなり、またこの制御装置が太陽光線管理プログラムを含む場合には、さらには予め登録されているかまたは設置の後にダウンロードされたこのようなプログラムを起動させるグループ（ＮＧ１）内の全ての機器要素のために直接的に使用可能なものとなる。
【００５９】
建物の移動製品に関しては、従来の設備と並列して、いくつかの専門分野間で共用される同じ１つのプロトコルを用いる他の無線制御製品を設置しなければならないと想定することができる。これには、例えば、図示されていない第４の制御装置（Ｃ４）および第５の制御装置（Ｃ５）さらには第２のセンサ（Ｓ２）によって、それぞれ制御されるそれぞれ第４のアクチュエータ（Ａ４）および第５のアクチュエータ（Ａ５）というアクチュエータが取りつけられた、図示されていない照明システム（Ｂ４）、または暖房および空調システム（Ｂ５）が含まれる。
【００６０】
これらの他のシステムはそれ自体、少なくとも１つの第２の一般双方向制御装置（Ｃ７０）によって制御される。これらのシステムは、別の独立したネットワーク（ＮＧ２）を構成する。第２の一般制御装置（Ｃ７０）内のテーブルは、前述のものと同様に、グループＮＧ２の全ての識別子の（構造化された）リストを含んでいる。例えば、第２の一般制御装置（Ｃ７０）が、２つのアクチュエータ、すなわちそれ自体その対応する制御装置（Ｃ４）および（Ｃ５）と、また第２のセンサ（Ｓ２）によっても制御されている第４のアクチュエータ（Ａ４）および第５のアクチュエータ（Ａ５）の識別子を含んでいると仮定しよう。
【００６１】
新しい設置段階では、それぞれ第１および第２の一般制御装置（Ｃ６０、Ｃ７０）よりも高い階層レベルの付加的な双方向制御装置（Ｃ８００）が設置される。この付加的な一般制御装置は例えば、異なる専門分野の製品の相互作用を必要とする快適性管理プログラムと共に供給される集中制御装置である。
【００６２】
今度は、このタイプの製品は設置者によって直接アクセス可能であって、例えば学習指定または開始ボタンを備えることから、第１の一般制御装置（Ｃ６０）または第２の一般制御装置（Ｃ７０）に対して付加的な一般制御装置（Ｃ８００）と直接に対形成が可能であるという点に留意すべきである。従って、対形成はもはや必ずしも、第３の予め認証されたコンポーネントの監視下で行われるわけではない。
【００６３】
一方、これらの対形成オペレーションの各々は、本発明によると、情報転送のときに行われることになる。
【００６４】
例えば、付加的な制御装置（Ｃ８００）は、そのグループ名（ＮＧ３）を第１の一般制御装置（Ｃ６０）に伝送し、一方この一般制御装置（Ｃ６０）はそのグループ名（ＮＧ１）を付加的な制御装置（Ｃ８００）に伝送する。
【００６５】
同様にして、グループ名（ＮＧ２およびＮＧ３）は、付加的な制御装置（Ｃ８００）と第２の一般制御装置（Ｃ７０）間で交換される。
【００６６】
同じオペレーション中にまたはやや遅れて、各テーブル内に含まれた識別子もまた伝送できる。
【００６７】
かくして、付加的な制御装置（Ｃ８００）中に含まれるテーブルは、以下のように構造化されて見えるかもしれない。
【００６８】
【数２】
2005512402.tif 000004
【００６９】
第１の一般制御装置（Ｃ６０）および第２の一般制御装置（Ｃ７０）はここで、自らが同じ１つのセット（ＮＧ３）に属するということを知っており、該当する場合には、それらが監視する要素にまで、この情報を伝播させることができる。
【００７０】
ネットワークの要素間の通信は任意の要領で、例えば、マルチマスター／マルチスレーブ形態で実施され得るものの、ネットワークは、その構成方法そのものによって機能的に構造化されるということがわかる。
【００７１】
永続的かつ機能的連結とは、設備内に新しい介入が現れるまでは、命令または情報を受信、解釈または実行する能力をもつ第２の要素に対し、第１の要素がその命令または情報を送信できる状態になることを意味している、ということが理解される。
【００７２】
さらに、以下のような複数の相補的または相互の排他的実施形態も使用可能である。
【００７３】
１．  双方向アクチュエータ（Ａ１、Ａ２、Ａ３）と双方向制御装置（Ｃ６０）との機能的連結が、一方向制御要素、（Ｃ１、Ｃ２、Ｃ３）の監視下で実施される。
【００７４】
２．  少なくとも一方向制御要素（Ｃ１、Ｃ２、Ｃ３）または少なくとも一方向センサ（Ｓ１）と、双方向センサ−アクチュエータ要素（Ａ１、Ａ２、Ａ３）との機能的連結は、双方向制御装置（Ｃ６０）の監視下で実施される。
【００７５】
３．  同じ階層レベルの２つの双方向制御装置（Ｃ６０、Ｃ７０）の機能的連結は、これら双方向制御装置の各々と、より高い階層レベルの制御装置（Ｃ８００）との連結により確保される。
【００７６】
４．  ２つの双方向センサ−アクチュエータ（Ａ１、Ａ２、Ａ３）の機能的連結は、各該センサ−アクチュエータと、同じ１つの双方向制御装置（Ｃ６０）との連続的な連結によって確保される。
【００７７】
５．  要素の中の１つと双方向制御装置（Ｃ６０、Ｃ７０またはＣ８００）との機能的連結中、その１つの要素は、前記双方向制御装置に対して、該要素とすでに連結されている制御装置に関する識別子セットを伝達する。
【００７８】
６．  異なる階層レベルの２つの制御装置間の連結の場合には、予め確立された関係についての情報の伝達は、より低いレベルの要素からより高いレベルの要素へと行われる。
【００７９】
７．  双方向制御装置（Ｃ６０、Ｃ７０またはＣ８００）と、要素の１つとの機能的連結中、前記双方向制御ユニットと連結された全てのより低いレベルの要素に共通のグループ名ＮＧが転送される。
【００８０】
８．  グループ名ＮＧの伝送は、暗号化アルゴリズムに従って符号化することができる。例えば、グループ名はそのまま直接伝送されず、同じ１つの暗号解読多項式を含む各要素によって、該グループ名が再構成され得るようにする「シード」の形で伝送することができる。
【００８１】
一例として示されたネットワーク内では、第１、第２および第３の制御装置（Ｃ１、Ｃ２、Ｃ３）が一方向要素であることがわかったが、例えばただ単に肯定応答を転送するためだけであれば、制御装置のいずれか１つさらには全てが双方向タイプでもありうることから、上記のことがあてはまる必要はない。
【００８２】
本明細書では、すでに構成されているネットワーク内での新しい要素の対形成中の後続する更新手続きについては言及されていないが、これらの手続きは、当業者ならば自明である。
【００８３】
当然のことながら、本発明は、例として記述され図示された実施形態に制限されるわけではなく、全ての技術的均等物およびその組合せをもまた含むものである。
【図面の簡単な説明】
【００８４】
【図１】１つの同一の建物内に設置された、１組のアクチュエータ（Ａ１、Ａ２、Ａ３）と、制御装置（Ｃ１、Ｃ３）と、センサ（Ｓ１）とを含むネットワークの例を示す図である。
【図１】
2005512402.tif 000005
【手続補正書】
【提出日】平成16年9月17日(2004.9.17)
【手続補正１】
【補正対象書類名】特許請求の範囲
【補正対象項目名】全文
【補正方法】変更
【補正の内容】
【特許請求の範囲】
【請求項１】
アクチュエータ（Ａ１、Ａ２、Ａ３）といった双方向要素と、少なくとも一方向性である制御要素（Ｃ１、Ｃ２、Ｃ３、Ｓ１）と、双方向制御要素（Ｃ６０、Ｃ７０、Ｃ８００）と、を含み、少なくとも２つの要素を永続的かつ機能的に連結するホームオートメーションネットワーク構築方法において、永続的かつ機能的連結によって、少なくとも１つの情報を、一方の双方向要素からもう一方の双方向要素まで、転送して、これら２つの要素間に階層的関係を作り上げることを特徴とする方法。
【請求項２】
これら２つの要素間の階層関係を作り出す情報には、グループ名（ＮＧ１、ＮＧ２）が含まれることを特徴とする請求項１に記載のホームオートメーションネットワーク構築方法。
【請求項３】
グループ名（ＮＧ１、ＮＧ２）の伝送が、暗号化アルゴリズムに従って符号化されることを特徴とする請求項２に記載のホームオートメーションネットワーク構築方法。
【請求項４】
これら２つの要素間の階層的関係を作り出す情報には、該情報を送信する要素との間ですでに確立されたリンクのアイデンティティが含まれることを特徴とする請求項１に記載のホームオートメーションネットワーク構築方法。
【請求項５】
２つの双方向要素間の永続的かつ機能的連結が、それ自体学習オペレーション中に前記要素のうちの１つにて予め認証された第３の要素の監視下で達成されることを特徴とする請求項１〜４のいずれか一項に記載のホームオートメーションネットワーク構築方法。
【請求項６】
双方向要素（Ａ１、Ａ２、Ａ３）と双方向制御要素（Ｃ６０）との機能的連結が、少なくとも一方向の制御要素（Ｃ１、Ｃ２、Ｃ３）の監視下で実施されることを特徴とする請求項１〜５のいずれか一項に記載のホームオートメーションネットワーク構築方法。
【請求項７】
双方向要素（Ａ１、Ａ２、Ａ３）と少なくとも一方向性の制御要素（Ｃ１、Ｃ２、Ｃ３、Ｓ１）との機能的連結が、双方向制御要素（Ｃ６０）の監視下で実施されることを特徴とする請求項１〜６のいずれか一項に記載のホームオートメーションネットワーク構築方法。
【請求項８】
同じ階層レベルの２つの双方向制御要素（Ｃ６０、Ｃ７０）の機能的連結が、より高い階層レベルの制御要素（Ｃ８００）と各前記双方向制御要素との連結によって確保されることを特徴とする請求項１〜７のいずれか一項に記載のホームオートメーションネットワーク構築方法。
【請求項９】
２つの双方向要素（Ａ１、Ａ２、Ａ３）の機能的連結が、これらの各々と、同じ１つの双方向制御要素（Ｃ６０）との永続的かつ機能的連結によって確保されることを特徴とする請求項１〜８のいずれか一項に記載のホームオートメーションネットワーク構築方法。
【請求項１０】
１つの双方向制御要素（Ｃ６０、Ｃ７０またはＣ８００）と、もう１つの要素との間の機能的連結中、後者の要素は前記双方向制御要素に対し、それとすでに連結されている要素に関する一組のアイデンティティを伝送することを特徴とする請求項１〜９のいずれか一項に記載のホームオートメーションネットワーク構築方法。
【請求項１１】
異なる階層レベルの２つの制御要素間の機能的連結中、予め確立された関係に関する情報の伝送を、より低いレベルの前記要素からより高いレベルの前記要素へと行うことを特徴とする請求項１〜１０のいずれか一項に記載のホームオートメーションネットワーク構築方法。
【請求項１２】
１つの双方向制御要素（Ｃ６０、Ｃ７０またはＣ８００）ともう１つの要素との間の機能的連結中、前記双方向制御要素と連結された全てのより低いレベルの前記要素に共通となるグループ名ＮＧが交換されることを特徴とする請求項１〜１１のいずれか一項に記載のホームオートメーションネットワーク構成方法。
【請求項１３】
前記グループ名（ＮＧ１、ＮＧ２）の伝送は、暗号化アルゴリズムに従った符号化により行われることを特徴とする請求項１２に記載のホームオートメーションネットワーク構成方法。
【請求項１４】
請求項１〜１３のいずれか一項に記載の方法が適用されるネットワーク。
【国際調査報告】
2005512402.tif 000006
2005512402.tif 000007
2005512402.tif 000008
2005512402.tif 000009
2005512402.tif 000010
2005512402.tif 000011